(57)【特許請求の範囲】
【請求項１】
マッサージ本体部、把持部、及び固定ピン部を有するマッサージ具であって、
前記マッサージ本体部は、基板の内側面から下方に突出する複数の押圧突起を有すると共に、弾性力を備える合成樹脂材料からなり、
前記把持部は合成樹脂材料からなり、
前記固定ピン部は、張出し基台と接合ピンとを有すると共に、合成樹脂材料からなり、
該張出し基台は、前記把持部の下端接合面の外周縁部に沿った形状の外周縁部を有する上部接合面を備えると共に、該張出し基台の下部外周縁部を前記マッサージ本体部に融着させて、前記前記固定ピン部が前記基板の外側面に一体として取り付けられており、
前記接合ピンは、前記基板の外側面から突出し、前記把持部の下端接合面に開口して形成された嵌合接続穴に嵌め込まれることにより、前記マッサージ本体部、前記把持部、及び前記固定ピン部が一体化されているマッサージ具。
【請求項２】
前記固定ピン部の合成樹脂材料が、前記把持部の合成樹脂材料よりも軟らかい合成樹脂材料である請求項１記載のマッサージ具。
【請求項３】
前記固定ピン部の合成樹脂材料が、前記マッサージ本体部の合成樹脂材料よりも硬い合成樹脂材料である請求項１又は２記載のマッサージ具。
【請求項４】
前記接合ピンの外周面に沿って、ピン側周方向凹溝又はピン側周方向凸リブが形成されており、前記嵌合接続穴の内周面に沿って、前記接合ピンの前記嵌合接続穴への嵌め込み時に前記ピン側周方向凹溝又はピン側周方向凸リブに係合される、把持部側周方向凸リブ又は把持部側周方向凹溝が形成されている請求項１〜３の何れか１項記載のマッサージ具。
【請求項５】
前記嵌合接続穴の奥部領域には、内周面の内径を奥部側に向けて徐々に縮径させたテーパー面部が設けられている請求項１〜４の何れか１項記載のマッサージ具。
【請求項６】
前記接合ピンの外周面に沿って、ピン側縦方向凹溝又はピン側縦方向凸リブが形成されており、前記嵌合接続穴の内周面に沿って、前記接合ピンの前記嵌合接続穴への嵌め込み時に前記ピン側縦方向凹溝又はピン側縦方向凸リブに係合される、把持部側縦方向凸リブ又は把持部側縦方向凹溝が形成されている請求項１〜５の何れか１項記載のマッサージ具。
【請求項７】
前記固定ピン部は、前記張出し基台から前記接合ピンとは反対側に突出する埋込みアンカーを備えており、該埋込みアンカーは、前記マッサージ本体部の前記基板に埋設される請求項１〜６の何れか１項記載のマッサージ具。
【発明の詳細な説明】
【技術分野】
【０００１】
本発明は、マッサージ具に関し、特にマッサージ本体部、把持部、及び固定ピン部を有するマッサージ具に関する。
【背景技術】
【０００２】
例えば、整髪や洗髪を行う際に、これらの整髪や洗髪と同時に頭部へのマッサージ効果を得ることが可能なヘアブラシが知られている（例えば、特許文献１参照）。特許文献１のヘアブラシは、把持部を備える曲面状に湾曲する扁平な椀状の基板の下面に、多数のブラシ突起を突設させたものである。特許文献１のヘアブラシは、扁平な椀状の基板や多数のブラシ突起を例えばエラストマーや合成ゴム等の弾性力を備える柔軟な素材で作成した場合には、頭部への押圧と押圧の解除を繰り返すことにより、特に基板の弾性変形によって、ブラシ突起によるマッサージ効果を高めることが可能になる。
【先行技術文献】
【特許文献】
【０００３】
【特許文献１】実開昭５５−２７４２２号公報
【発明の概要】
【発明が解決しようとする課題】
【０００４】
一方、扁平な椀状の基板を弾性力を備える柔軟な素材で形成した場合でも、マッサージ具としてのヘアブラシを把持するための把持部は、好ましくは硬質の素材で形成する必要があるため、ブラシの使用時に、柔軟な素材からなる基板の変形によって、把持部と基板との接合部分に隙間が生じやすくなり（図６（ｂ）参照）、生じた隙間に髪の毛が挟まることで、髪の毛が抜けてしまうことが考えられる。
【０００５】
本発明は、弾性力を備える柔軟な素材で形成されたマッサージ本体部の基板と、好ましくは硬質の素材で形成された把持部との接合部分に、使用時に隙間が生じて髪の毛を挟み込み易くなるのを効果的に回避することのできるマッサージ具を提供することを目的とする。
【課題を解決するための手段】
【０００６】
本発明は、マッサージ本体部、把持部、及び固定ピン部を有するマッサージ具であって、前記マッサージ本体部は、基板の内側面から下方に突出する複数の押圧突起を有すると共に、弾性力を備える合成樹脂材料からなり、前記把持部は合成樹脂材料からなり、前記固定ピン部は、張出し基台と接合ピンとを有すると共に、合成樹脂材料からなり、該張出し基台は、前記把持部の下端接合面の外周縁部に沿った形状の外周縁部を有する上部接合面を備えると共に、該張出し基台の下部外周縁部を前記マッサージ本体部に融着させて、前記前記固定ピン部が前記基板の外側面に一体として取り付けられており、前記接合ピンは、前記基板の外側面から突出し、前記把持部の下端接合面に開口して形成された嵌合接続穴に嵌め込まれることにより、前記マッサージ本体部、前記把持部、及び前記固定ピン部が一体化されているマッサージ具を提供することにより、上記目的を達成したものである。
【発明の効果】
【０００７】
本発明のマッサージ具によれば、弾性力を備える柔軟な素材で形成されたマッサージ本体部の基板と、好ましくは硬質の素材で形成された把持部との接合部分に、使用時に隙間が生じて髪の毛を挟み込み易くなるのを効果的に回避することができる。
【図面の簡単な説明】
【０００８】
【図１】本発明の好ましい一実施形態に係るマッサージ具の斜視図である。
【図２】本発明の好ましい一実施形態に係るマッサージ具の分解側面図である。
【図３】マッサージ本体部に固定ピン部を一体として取り付けた状態の側面図である。
【図４】マッサージ本体部に固定ピン部を一体として取り付けた状態の、固定ピン部を側面図で示す略示断面図である。
【図５】固定ピン部を介してマッサージ本体部に把持部を接合した状態の、固定ピン部を側面図で示す略示断面図である。
【図６】（ａ）は、本発明の好ましい一実施形態に係るマッサージ具の使用時に、マッサージ本体部が弾性変形した状態を説明する、固定ピン部を側面図で示す略示断面図、（ｂ）は、従来のマッサージ具において、把持部とマッサージ本体部との接合部分に隙間が生じた状態を説明する略示断面図である。
【図７】固定ピン部の接合ピンの拡大側面図である。
【図８】把持部の嵌合接続穴に固定ピン部の接合ピンを嵌着固定するための、好ましい構成を説明する拡大側面図である。
【発明を実施するための形態】
【０００９】
図１に示す本発明の好ましい一実施形態に係るマッサージ具１０は、例えば頭皮に指を押し当てて行う頭部へのマッサージに代えて、把持部１２を把持して行う簡単な操作により、マッサージ本体部１１の押圧突起１３ａ，１３ｂ，１３ｃを頭皮に押し付けたり擦り付けたりすることによって、好ましくは髪の毛を直接手で触れることなく、指でマッサージを行った場合と同等のマッサージ効果が得られるようにするものである。また、本実施形態のマッサージ具１０は、弾性力を備える合成樹脂材料からなるマッサージ本体部１１が弾性変形した際に、マッサージ本体部１１と好ましくは硬質の合成樹脂材料からなる把持部１２との間の接合部分に大きな隙間５０（図６（ｂ）参照）が生じないようにして、毛が挟み込まれるのを回避できる機能を備える。
【００１０】
そして、本実施形態のマッサージ具１０は、図２〜図５にも示すように、基板１４の内側面から下方に突出する複数の押圧突起１３ａ，１３ｂ，１３ｃを有する、弾性力を備える合成樹脂材料からなるマッサージ本体部１１と、好ましくは硬質の合成樹脂材料からなる把持部１２と、基板１４の外側面に一体として取り付けられて、把持部１２の下端接合面１２ａに開口して形成された嵌合接続穴１５（図５参照）に嵌め込まれる接合ピン１６を基板１４の外側面の好ましくは中央部分から突出させる、好ましくは硬質の合成樹脂材料からなる固定ピン部１７とを含んで構成される。固定ピン部１７には、把持部１２の下端接合面１２ａの外周縁部１２ｂに沿った形状の外周縁部１８ｂを有する上部接合面１８ａを備える張出し基台１８が設けられており、且つ固定ピン部１７は、張出し基台１８の下部外周縁部１８ｃをマッサージ本体部１１に例えば２色成形やインサート成形により融着させて、基板１４の外側面に一体として取り付けられている。
【００１１】
すなわち、本実施形態のマッサージ具１０は、マッサージ本体部１１、把持部１２、及び固定ピン部１７を有しており、マッサージ本体部１１は、基板１４の内側面から下方に突出する複数の押圧突起１３ａ，１３ｂ，１３ｃを有すると共に、弾性力を備える合成樹脂材料からなり、把持部１２は合成樹脂材料からなり、固定ピン部１７は、張出し基台１８と接合ピン１６とを有すると共に、合成樹脂材料からなっている。張出し基台１８は、把持部１２の下端接合面１２ａの外周縁部１２ｂに沿った形状の外周縁部１８ｂを有する上部接合面１８ａを備えると共に、当該張出し基台１８の下部外周縁部１８ｃをマッサージ本体部１１に融着させて、固定ピン部１７が基板１４の外側面に一体として取り付けられている。接合ピン１６は、基板１４の外側面から突出し、把持部１２の下端接合面に開口して形成された嵌合接続穴１５に嵌め込まれることにより、マッサージ本体部１１、把持部１２、及び固定ピン部１７が一体化されている。
【００１２】
ここで、固定ピン部１７の張出し基台１８の上部接合面１８ａの外周縁部１８ｂが、把持部１２の下端接合面１２ａの外周縁部１２ｂに沿った形状を有しているということには、上部接合面１８ａの外周縁部１８ｂの形状及び大きさと下端接合面１２ａの外周縁部１２ｂの形状及び大きさとが合致していることの他、これらの形状及び大きさが概ね合致していることも含まれる。例えば、双方が共に円形であって、その直径が僅かに異なる場合や、一方が円形であって、他方がこの円形に外接又は内接する多角形である場合等も含まれる。
【００１３】
本実施形態では、マッサージ具１０を構成するマッサージ本体部１１は、好ましくは弾性率が１０〜３０ＭＰａ程度の相当の弾性力を備える合成樹脂材料として、例えば、エラストマー（スチレン系、ポリエステル系、オレフィン系、ウレタン系など）等を用いて形成される。特にスチレン系エラストマーは透明性に優れるものがあり、着色の自由度も大きいため、好ましく使用することができる。マッサージ本体部１１の基板１４は、例えば２〜７ｍｍ程度の厚さを有すると共に、平面形状として直径が例えば４０〜８０ｍｍ程度の円板形状を有しており、また曲率半径が例えば４０〜８０ｍｍ程度の曲率で曲面状（ドーム状）に湾曲した扁平な椀状に形成される。
【００１４】
また、本実施形態では、基板１４には、これの中央部分から外側に向けて延設する舌状片１９が、中央部分側の基端部を除く周囲にＵ字状の貫通溝２０が設けられることにより基端部から片持ち梁状に張り出した状態で、周方向に間隔をおいて複数設けられている。各々の舌状片１９の先端部分には、下方に突出して押圧突起１３ａが設けられている。さらに、本実施形態では、基板１２の中央部分の内側面に、下方に突出する中央部押圧突起１３ｂが設けられており、また周方向に隣接する押圧突起１３ａの間の部分には、下方に突出する補助押圧突起１３ｃが設けられている。これらの押圧突起１３ａ，１３ｂ，１３ｃの先端は、半球形状又は曲面形状に形成された押圧部となっている。
【００１５】
マッサージ具１０を構成する把持部１２は、本実施形態では、好ましくはマッサージ本体部１１よりも硬い（すなわちマッサージ本体部１１よりも変形し難い）、弾性率が７５０〜３６００ＭＰａ（より好ましくは１２００〜３３００ＭＰａ、更に好ましくは１７００〜２５００ＭＰａ）程度相当の弾性力を備える硬質の合成樹脂材料として、例えばＡＢＳ（アクリロニトリル・ブタジエン・スチレン共重合体）樹脂、ＰＢＴ（ポリブチレンテレフタレート）樹脂、ＰＰ（ポリプロピレン）樹脂、ＰＥ（ポリエチレン）樹脂、ＰＥＴ（ポリエチレンテレフタレート）樹脂、ＰＣＴＡ（ポリシクロヘキサンジメチレンテレフタレート）樹脂、ＰＯＭ（ポリアセタール）樹脂、アクリル樹脂、ＡＳ（アクリル二トリルスチレン共重合体）樹脂、ＰＳ（ポリスチレン）樹脂等を用いて形成される。特にＰＣＴＡは、透明性に優れ、着色の自由度が大きく、耐薬品性に優れ、衝撃強度の高いものがあるので好ましく使用することができる。把持部１２は、固定ピン部１７を介してマッサージ本体部１１と一体化されて、押圧突起１３ａ，１３ｂ，１３ｃを頭皮に押し当てるための押圧力や、頭部を揉み解すための回転力等を、マッサージ本体部１１に効率良く伝達できるようになっている。
【００１６】
また、本実施形態では、把持部１２は、円筒体の周面全周がくびれ部となっている接合ドラム部２１と、この接合ドラム部２１の上部から径方向外側に張り出して一方向に延設するハンドル部２２とが一体成形された形状を有している。これによって、マッサージ具１０を用いて頭部へのマッサージを行う際に、圧迫法、強擦法、揉捏法、軽擦法、打突法等のマッサージの方法や、マッサージを行なう部位や力加減に応じて、種々の持ち方から適切な持ち方を選択することが可能になる。またこれによりマッサージ効果を得るための操作を安定した状態で行って、効率良く且つ効果的にマッサージを行うことが可能になる。
【００１７】
さらに、本実施形態では、接合ドラム部２１の下端面が把持部１２の下端接合面１２ａを構成していて、固定ピン部１７の張出し基台１８の上部接合面１８ａと密着配置されるようになっていると共に、把持部１２の下端接合面１２ａの中央部分に開口して、円形の中空断面を有する嵌合接続穴１５が、接合ドラム部２１の内部に形成されている。この嵌合接続穴１５には、マッサージ本体部１１の基板１４の外側面に一体として接合された固定ピン部１７の接合ピン１６が、取り外すことが困難な状態で嵌合装着される。
【００１８】
マッサージ具１０を構成する固定ピン部１７は、本実施形態では、マッサージ本体部１１と融着可能で、且つ好ましくはマッサージ本体部１１の合成樹脂材料よりも硬い、弾性率が７５０〜３６００ＭＰａ（より好ましくは７５０〜２１００ＭＰａ、更に好ましくは８００〜２０００ＭＰａ）程度相当の弾性力を備える硬質の合成樹脂材料として、例えばＡＢＳ（アクリロニトリル・ブタジエン・スチレン共重合体）樹脂、ＰＰ（ポリプロピレン）樹脂、ＰＥ（ポリエチレン）樹脂、ＰＥＴ−Ｇ（ポリエチレンテレフタレートの一種）樹脂、ＰＯＭ（ポリアセタール）樹脂、アクリル樹脂、ＡＳ（アクリル二トリルスチレン共重合体）樹脂等を用いて形成される。特にＰＰは着色の自由度が高く好ましく使用することができる。
【００１９】
また、固定ピン部１７は、把持部１２の合成樹脂材料よりも軟らかい例えば硬質の合成樹脂材料によって形成されていることが好ましい。固定ピン部１７が把持部１２よりも軟らかい合成樹脂材料によって形成されていることにより、接合ピン１６を打ち込んだり無理押しして嵌合接続穴１５に嵌め込む際に、当該接合ピン１６の方を変形させることで、嵌め込みがスムーズに行われるようにすることが可能になると共に、このような変形によって接合ピン１６の外周面と嵌合接続穴１５の内周面との密着性を向上させて、さらに安定した状態でマッサージ本体部１１と把持部１２とを接合一体化することが可能になる。
【００２０】
本実施形態では、固定ピン部１７は、円盤形状の張出し基台１８と、張出し基台１８の中央部分から上方に一体として立設する接合ピン１６と、張出し基台１８の中央部分から接合ピン１６とは反対側の下方に一体として突出する、埋込みアンカー２３とによって構成される。張出し基台１８の上面は、把持部１２の下端接合面１２ａの外周縁部１２ｂに沿った形状の外周縁部１８ｂを有する、平坦な上部接合面１８ａを備えている。固定ピン部１７を介して把持部１２と固定ピン部１７とを接合一体化させた際に、把持部１２の下端接合面１２ａと張出し基台１８の上部接合面１８ａとを強固に密着させて、把持部１２からの力をマッサージ本体部１１に安定した状態で伝達させることが可能になる。また、張出し基台１８は、上面から厚さ方向下方に向けて末広がりに拡径する形状を備えると共に、平坦な下面を有している。この平坦な下面を介して、固定ピン部１７がマッサージ本体部１１と融着接合される。
【００２１】
埋込みアンカー２３は、張出し基台１８の下面中央部分から下方に突出する、扁平な円柱形状を備える部分である。埋込みアンカー２３は、例えば２色成形やインサート成形によってマッサージ本体部１１が形成される際に、マッサージ本体部１１の基板１４の外側面の中央部分に埋設されて、アンカー機能を発揮することで、固定ピン部１７をマッサージ本体部１１に強固に接合一体化させることが可能になる。
【００２２】
接合ピン１６は、張出し基台１８の上面中央部分から上方に突出する、把持部１２の接合ドラム部２１に形成された嵌合接続穴１５の内径と同様の外形を有する円柱形状の突起である。接合ピン１６は、その全体が嵌合接続穴１５に収まる長さを備えると共に、先端が先細状に面取りされている。
【００２３】
本実施形態では、接合ピン１６の外周面に沿って、ピン側周方向凹溝２４が形成されている。このピン側周方向凹溝２４には、接合ピン１６の嵌合接続穴１５への嵌め込み時に、嵌合接続穴１５の内周面に沿って形成された把持部側周方向凸リブ２５が係合される。これによって、把持部１２とマッサージ本体部１１とを更に強固に接合一体化することが可能になる。
【００２４】
なお、本実施形態では、図８に示すように、嵌合接続穴１５の奥部領域には、内周面の内径を奥部側に向けて徐々に縮径させたテーパー面部２６を設けておくこともできる。嵌合接続穴１５の奥部領域にテーパー面部２６を設けておくことにより、接合ピン１６の嵌合接続穴１５への嵌め込み時に、接合ピン１６の先端部分のストレート形状の外周面を、テーパー面部２６に食い込ませて楔効果を発揮させることにより、把持部１２とマッサージ本体部１１とを更に強固に接合一体化することが可能になる。
【００２５】
また、本実施形態では、図７に示すように、接合ピン１６の外周面に沿って、ピン側縦方向凹溝２７を形成しておくこともできる。このピン側縦方向凹溝２７には、接合ピン１６の嵌合接続穴１５への嵌め込み時に、嵌合接続穴１５の内周面に沿って形成された把持部側縦方向凸リブ（図示せず）を係合することができる。これによって、マッサージ具１０の使用時に、マッサージ本体部１１に対して把持部１２が相対的に回転するのを回避することが可能になる。
【００２６】
さらに、本実施形態では、図８に示すように、接合ピン１６の基端部分の外周面に沿って、例えばエラストマーからなる密閉用シールリング２８を取り付けておくことができる。この密閉用シールリング２８によって嵌合接続穴１５の内周面との隙間をシールすることで、嵌合接続穴１５の内部に例えば洗髪剤や整髪剤が侵入するのを遮断して、カビの発生等を効果的に回避することが可能になる。
【００２７】
本実施形態では、固定ピン部１７とマッサージ本体部１１とは、例えば２色成形やインサート成形によって形成されることにより融着されて、強固に接合一体化される。これによって、固定ピン部１７の張出し基台１８の下部外周縁部１８ｃは、基板１４の外側面に隙間無く強固に融着固定される。また、固定ピン部１７が接合一体化されたマッサージ本体部１１は、固定ピン部１７の接合ピン１６を、把持部１２の接合ドラム部２１の嵌合接続穴１５に打ち込んだり無理押しして嵌め込むことにより把持部１２と一体化されて、マッサージ具１０が容易に形成される。
【００２８】
そして、上述の構成を有する本実施形態のマッサージ具１０によれば、弾性力を備える柔軟な素材で形成されたマッサージ本体部１１の基板１４と、好ましくは硬質の素材で形成された把持部１２との接合部分に、使用時に隙間が生じて髪の毛を挟み込み易くなるのを効果的に回避することが可能になる。
【００２９】
すなわち、本実施形態によれば、マッサージ具１０は、マッサージ本体部１１と、把持部１２と、固定ピン部１７とからなり、固定ピン部１７には、把持部１２の下端接合面１２ａの外周縁部１２ｂに沿った形状の外周縁部１８ｂを有する上部接合面１８ａを備える張出し基台１８が設けられており、且つ固定ピン部１７は、張出し基台１８の下部外周縁部１８ｃをマッサージ本体部１１に融着させて、基板１４の外側面に一体として取り付けられているので、把持部１２からの力を固定ピン部１７を介してマッサージ本体部１１に安定した状態で効果的に伝達することが可能になる。また、固定ピン部１７の張出し基台１８の下部外周縁部１８ｃがマッサージ本体部１１の基板１４の外側面に隙間無く強固に融着しているので、図６（ａ）に示すように、マッサージ具１０の使用時にマッサージ本体部１１の基板１４が変形しても、固定ピン部１７の張出し基台１８とマッサージ本体部１１の基板１４の外側面との間に隙間が生じることがない。
【００３０】
したがって、本実施形態によれば、例えば図６（ｂ）に示す従来のマッサージ具５１のように、使用時に弾性力を備えるマッサージ本体部５２と、例えば硬質の合成樹脂材料からなる把持部５３との間の接合部分に大きな隙間５０が生じて、この隙間５０に毛が挟み込まれ易くなるのを効果的に回避することが可能になる。
【００３１】
なお、本発明は上記実施形態に限定されることなく種々の変更が可能である。例えば、把持部は、接合ドラム部とこれの上部から一方向に延設するハンドル部とからなるものである必要は必ずしもなく、例えば円筒体の部分のみからなる把持部であっても良い。また、マッサージ本体部は、基板に舌状片を設けたものである必要は必ずしも無く、基板の内側面から押圧突起を直接突出させたものであっても良い。さらに、接合ピンの外周面に沿ってピン側周方向凸リブを形成して、これを嵌合接続穴の内周面に沿って形成された把持部側周方向凹溝に係合させても良く、接合ピンの外周面に沿ってピン側縦方向凸リブを形成して、これを嵌合接続穴の内周面に沿って形成された把持部側縦方向凹溝に係合させても良い。
【符号の説明】
【００３２】
１０  マッサージ具
１１  マッサージ本体部
１２  把持部
１２ａ  下端接合面
１２ｂ  外周縁部
１３ａ，１３ｂ，１３ｃ  押圧突起
１４  基板
１５  嵌合接続穴
１６  接合ピン
１７  固定ピン部
１８  張出し基台
１８ａ  上部接合面
１８ｂ  外周縁部
１８ｃ  下部外周縁部
２１  接合ドラム部
２２  ハンドル部
２３  埋込みアンカー
２４  ピン側周方向凹溝
２５  把持部側周方向凸リブ
２６  テーパー面部
２７  ピン側縦方向凹溝
２８  密閉用シールリング
【図１】
0005269967.tif 000002
【図２】
0005269967.tif 000003
【図３】
0005269967.tif 000004
【図４】
0005269967.tif 000005
【図５】
0005269967.tif 000006
【図６】
0005269967.tif 000007
【図７】
0005269967.tif 000008
【図８】
0005269967.tif 000009